(57)【要約】      （修正有）【課題】器具全体を十分に押さえられなくても確実に滑りを防ぐと共に、目盛りを見やすくして、使い勝手を向上させることができる製図器具を提供する。【解決手段】外周に設けられた第１の目盛り部１１と、第１の目盛り部１１に沿って帯状に形成され、第１の目盛り部１１に対応する数値が付された数値部１２と、数値部１２に対して第１の目盛り部１１とは反対側に設けられた第２の目盛り部１３とを備え、第１の目盛り部１１は等間隔に着色され、数値部１２及び第２の目盛り部１３も着色されており、着色された部分は、裏面に滑り止め部材が形成されている製図器具１としている。【選択図】図１
0003228028.tif 000002
【実用新案登録請求の範囲】
【請求項１】
製図器具であって、外周に設けられた第１の目盛り部と、前記第１の目盛り部に沿って帯状に形成され、前記第１の目盛り部に対応する数値が付された数値部と、前記数値部に対して前記第１の目盛り部とは反対側に設けられた第２の目盛り部とを備え、
前記第１の目盛り部は等間隔に着色され、前記数値部及び前記第２の目盛り部も着色されており、
前記着色された部分は、裏面に滑り止め部材が形成されていることを特徴とする製図器具。
【請求項２】
第２の目盛り部には、数値部を用いた第１の目盛り部での測定とは異なる測定が可能な数値が付されていることを特徴とする請求項１記載の製図器具。
【請求項３】
滑り止め部材は、色付き透明の材料で形成されることを特徴とする請求項１又は２記載の製図器具。
【請求項４】
製図器具は直定規であり、
第１の目盛り部は一方の長辺に設けられ、第２の目盛り部は他方の長辺に設けられ、前記第２の目盛り部と数値部との間に方眼罫が設けられていることを特徴とする請求項１乃至３のいずれか記載の製図器具。
【請求項５】
製図器具は三角定規であり、
第１の目盛り部は斜辺に設けられ、第２の目盛り部は前記斜辺以外の２辺に設けられ、前記第２の目盛り部と、数値部とに囲まれた領域に方眼罫が設けられていることを特徴とする請求項１乃至３のいずれか記載の製図器具。
【請求項６】
製図器具は分度器であり、
第１の目盛り部は円弧形状の外周に設けられ、前記数値部は前記第１の目盛り部より中心側に設けられ、前記第１の目盛り部に対応して、一端から他端に向かって０から１８０の数値が付され、第２の目盛り部は前記数値部より中心側に設けられ、１８０から３６０までの数値が付されているか、又は前記数値部とは逆向きに０から１８０までの数値が付されていることを特徴とする請求項１乃至３のいずれか記載の製図器具。
【考案の詳細な説明】
【技術分野】
【０００１】
本考案は、定規や分度器を含む製図器具に係り、特に、器具の全体を十分に押さえられなくても滑りにくく、且つ目盛りを読みやすくして、使い勝手を向上させることができる製図器具に関する。
【背景技術】
【０００２】
［先行技術の説明］
製図器具には、小学生等が用いる直線状の直定規や三角定規、分度器がある。
従来、滑り止めが設けられた定規や、目盛りを読みやすくした定規があった。
【０００３】
［関連技術］
尚、関連する先行技術文献として、実用新案登録第３０７４４３３号公報「定規」（特許文献１）、実用新案登録第３１９２１８７号公報「定規」（特許文献２）、意匠登録第１４２３２５８号公報「定規」（特許文献３）、意匠登録第１４５１２７９号公報「三角定規」（特許文献４）がある。
【０００４】
特許文献１には、定規の裏面に軟質素材の滑り止め部材を裏面から突出させて取り付けた構成が記載されている。
特許文献２には、定規の裏面全体に滑り止め層が設けられ、滑り止め層に凹凸が形成された構成が記載されている。
【０００５】
また、特許文献３には、両側に目盛りが設けられ、「０」「１０」「２０」の文字が他の文字より大きく、１０cmごとに白黒ブロックとなっている定規が記載されている。
特許文献４には、三辺に目盛りが設けられ、中央部分に方眼罫が設けられた三角定規が記載されている。
【先行技術文献】
【特許文献】
【０００６】
【特許文献１】実用新案登録第３０７４４３３号公報
【特許文献２】実用新案登録第３１９２１８７号公報
【特許文献３】意匠登録第１４２３２５８号公報
【特許文献４】意匠登録第１４５１２７９号公報
【考案の概要】
【考案が解決しようとする課題】
【０００７】
しかしながら、従来の製図器具は、線を引いたり角度を測ったりする際に、滑りやすく、途中でずれてしまうという問題点があった。
具体的には、従来の製図器具において、滑り止め部材を裏面に形成したものはあったが、例えば、全体を上部から平均的に押さえ込まなければ効果が少なく、定規の一部（例えば端部）だけを押さえた場合に滑りやすい状況が発生することがあった。
また、従来の製図器具に設けられた目盛りは、通常一色で印刷され、単調で見づらいという問題点があった。
【０００８】
尚、特許文献１〜４には、帯状の滑り止め部を複数分散して配置すると共に、目盛り部の裏面に一定間隔で滑り止め部材を配置して着色し、滑り止め効果を向上させると共に目盛りを見やすくすることは記載されていない。
【０００９】
本考案は上記実状に鑑みて為されたものであり、複数個所に分散して設けられた滑り止め部により、器具全体を十分に押さえられなくても確実に滑りを防ぐと共に、目盛りを見やすくして、使い勝手を向上させることができる製図器具を提供することを目的とする。
【課題を解決するための手段】
【００１０】
上記従来例の問題点を解決するための本考案は、製図器具であって、外周に設けられた第１の目盛り部と、第１の目盛り部に沿って帯状に形成され、第１の目盛り部に対応する数値が付された数値部と、数値部に対して第１の目盛り部とは反対側に設けられた第２の目盛り部とを備え、第１の目盛り部は等間隔に着色され、数値部及び第２の目盛り部も着色されており、着色された部分は、裏面に滑り止め部材が形成されていることを特徴としている。
【００１１】
また、本考案は、上記製図器具において、第２の目盛り部には、数値部を用いた第１の目盛り部での測定とは異なる測定が可能な数値が付されていることを特徴としている。
【００１２】
また、本考案は、上記製図器具において、滑り止め部材は、色付き透明の材料で形成されることを特徴としている。
【００１３】
また、本考案は、上記製図器具において、製図器具は直定規であり、第１の目盛り部は一方の長辺に設けられ、第２の目盛り部は他方の長辺に設けられ、第２の目盛り部と数値部との間に方眼罫が設けられていることを特徴としている。
【００１４】
また、本考案は、上記製図器具において、製図器具は三角定規であり、第１の目盛り部は斜辺に設けられ、第２の目盛り部は斜辺以外の２辺に設けられ、第２の目盛り部と、数値部とに囲まれた領域に方眼罫が設けられていることを特徴としている。
【００１５】
また、本考案は、上記製図器具において、製図器具は分度器であり、第１の目盛り部は円弧形状の外周に設けられ、数値部は第１の目盛り部より中心側に設けられ、第１の目盛り部に対応して、一端から他端に向かって０から１８０の数値が付され、第２の目盛り部は数値部より中心側に設けられ、１８０から３６０までの数値が付されているか、又は数値部とは逆向きに０から１８０までの数値が付されていることを特徴としている。
【考案の効果】
【００１６】
本考案によれば、製図器具であって、外周に設けられた第１の目盛り部と、第１の目盛り部に沿って帯状に形成され、第１の目盛り部に対応する数値が付された数値部と、数値部に対して第１の目盛り部とは反対側に設けられた第２の目盛り部とを備え、第１の目盛り部は等間隔に着色され、数値部及び第２の目盛り部も着色されており、着色された部分は、裏面に滑り止め部材が形成されている製図器具としているので、器具の裏面において、器具の端部を含む複数個所に滑り止め部材をバランスよく配置して、器具を押さえる力が弱くても、器具の一部のみを押さえた場合でも、器具が滑るのを防ぐことができ、また、第１の目盛りをブロック状に色分けすることでコントラストが付き、目盛りを見やすくすることができる効果がある。
【００１７】
また、本考案によれば、第２の目盛り部には、数値部を用いた第１の目盛り部での測定とは異なる測定が可能な数値が付されている上記製図器具としているので、使用方法を広げることができる効果がある。
【００１８】
また、本考案は、滑り止め部材は、色付き透明の材料で形成される上記製図器具としているので、適度なコントラストで目盛りや数値を見やすくし、滑り止め部材を製図器具裏面の広い範囲に亘って設けても、紙面上の図形を十分視認でき、測定や描画の妨げにならず、一層使い勝手を向上させることができる効果がある。
【図面の簡単な説明】
【００１９】
【図１】本直定規の平面図である。
【図２】本三角定規（１）の平面図である。
【図３】本三角定規（２）の平面図である。
【図４】本分度器の平面図である。
【考案を実施するための形態】
【００２０】
本考案の実施の形態について図面を参照しながら説明する。
［実施の形態の概要］
本考案の実施の形態に係る製図器具（本製図器具）は、器具の外周に設けられた第１の目盛り部と、第１の目盛り部に沿って形成され、第１の目盛り部に対応する数値が付された帯状の数値部と、数値部に対して第１の目盛り部とは反対側に設けられた第２の目盛り部とを備え、数値部と、第２の目盛り部の裏面に滑り止め部材が形成されると共に、第１の目盛り部の裏面に一定間隔で滑り止め部材が形成されて着色されているものであり、製図器具の裏面において、端部を含む複数個所に滑り止め部材を配置して、押さえる力が弱くても、また器具の一部だけを押さえた場合でも滑りにくくすることができ、第１の目盛り部をブロック状に色分けして、色のコントラストで目盛りを見やすくすることができるものである。
また、本製図器具としては、直定規（本直定規）、三角定規（本三角定規）及び分度器（本分度器）がある。
【００２１】
［本直定規の構成：図１］
本直定規の構成について図１を用いて説明する。図１は、本直定規の平面図である。尚、本実施の形態では、本製図器具について、使用時に上側となる面を表面、下側となって紙面等に接する面を裏面として説明する。表面から見た場合に、数字を正しく読み取れるように数字等が印刷されている。
【００２２】
図１に示すように、本直定規１は、最小目盛りが１mmで、１８cmの長さを測ることができる１８cm定規であり、第１の目盛り部１１と、数値部１２と、第２の目盛り部１３と、縦読み数値部１４と、方眼罫１５とを備えている。
【００２３】
本直定規１の長さは約１９cm、幅は約３cm、厚みは約１mmである。
また、本直定規１の本体は、透明部材の再生ＰＥＴ（Polyethylene Terephthalate）で形成されており、適度な柔軟性を備え、教科書や資料に沿わせやすいものとなっている。
【００２４】
第１の目盛り部１１は、本直定規１の一方の長辺に設けられ、本直定規１の裏面に印刷されている。また、第１の目盛り部１１は、１cm幅の着色部１１ａと非着色部１１ｂが交互に配置されて、ブロック状の目盛りとなっている。これにより、目盛りに１cm毎にコントラストが付き、見やすくなるものである。
【００２５】
着色部１１ａの裏面には、色付きで透明な素材である滑り止め部材が設けられており、表から見た場合に着色されて見えるものである。
滑り止め部材の色は、滑り止め部材と重なり合う第１の目盛り部１１の目盛りや後述する数値部１２の数字が読みやすいよう、目盛りや数値の色とは異なる色とするのが望ましく、例えば、目盛りや数値が黒で印刷される場合には、薄い青色などが考えられる。濃紺や濃いグレーとすると目盛りや数値が読みにくくなる。
滑り止め部材が色付き透明であることにより、本直定規１を教科書やノートの上に置いた場合に、紙面に描かれた図形がはっきり見え、長さの測定や直線の描画を容易にすることができるものである。
【００２６】
滑り止め部材は、例えば、アクリル系樹脂（ウレタンビーズ入り）であり、印刷等により形成される。尚、滑り止め部材による摩擦力は、本直定規１の使用者が、意図して本直定規１を滑らせようとした場合にこれを妨げるほど強くはなく、ずれないように押さえた場合に確実に所望の位置を保持できるものである。また、滑り止め部材は、後述する他の本製図器具でも共通となっている。
【００２７】
更に、第１の目盛り部１１には、１cm毎、５cm毎、１０cm毎に小さい矢印（矢印目盛り）が付されている。具体的には、５cm及び１５cmに対応する位置には２つの矢印目盛りが付され、０cm及び１０cmに対応する位置には、３つの矢印目盛りが付されている。
矢印目盛りを設けることにより、第１の目盛り部１１の目盛りを見やすくできるものである。
【００２８】
数値部１２は、第１の目盛り部１１の１cm毎の目盛りに対応する数値が記載された帯状の領域である。図１において、第１の目盛り部１１の左端付近の基線を０として、左から右に向かって１cm毎に１８まで数値が付されている。また、０、５、１０、１５といった５cm毎の目安となる数字は大きく記載されている。
【００２９】
数値部１２の数字は、本直定規１を横向き（長さ方向が横方向）となるように置いた場合に読みやすい向きに記載されている。
そして、数値部１２の裏面にも、帯状の領域全体に亘って滑り止め部材が設けられて、着色されている。
【００３０】
第２の目盛り部１３は、第１の目盛り部１１とは異なる長辺に設けられており、第２の目盛り部１３に隣接して、縦読み数値部１４が設けられている。第２の目盛り部１３は定規の基線１７と器具の端辺が一致しており、基線１７の右端には余分な領域がない。これにより、基線１７を下にして定規を立てた状態で計測物の高さ、深さを誤りなく正しく測ることができる。
縦読み数値部１４は、本直定規１の右端付近の基線１７から１cm毎に１，２，…１８の数値が、縦向き（長尺方向の向き）に記載されている。
第２の目盛り部１３及び縦読み数値部１４は、本直定規１を縦にして用いて、縦方向の長さを測る際に便利なものである。
【００３１】
また、第２の目盛り部１３には、縦読み数値部１４に合わせて、１cm毎、５cm毎に矢印目盛りが付されている。これにより、本直定規１を立てて高さを測る場合に便利であり、第２の目盛り部１３の目盛りを読みやすくすることができるものである。
【００３２】
そして、第２の目盛り部１３及び縦読み数値部１４の裏面にも滑り止め部材が設けられ、着色されている。
つまり、本直定規１は、一方の長辺上の第１の目盛り部１１の裏面に一定間隔で断続的に滑り止め部材が設けられると共に、長尺方向に沿った太い帯状の数値部１２の裏面と、他方の長辺上の第２の目盛り部１３及び縦読み数値部１４の裏面に、両短辺を接続するように滑り止め部材が設けられたものである。
【００３３】
このように、本直定規１では、器具裏面の複数個所にバランスよく滑り止め部材を配置したことにより、押さえる力が多少弱くても、また、定規全体を上からしっかり押さえられなくても、器具の端部を押さえた場合でも、いずれかの箇所に設けられた滑り止め部材に力が加わって摩擦が生じるため、寸法を測ったり線を引いたりする際に定規が滑ってずれてしまうのを防ぐことができるものである。
【００３４】
更に、本直定規１では、数値部１２と縦読み数値部１４との間に、方眼罫１５が設けられている。紙面上の線や図形の上に方眼罫１５を重ねて、線を引く場合などに平行や垂直の目安とすることができるものである。
更に、本直定規１では、両短辺に方眼罫よりも細かい目盛りが設けられており、間隔の狭い平行線を引く場合などに、本直定規１を所望の直線に対して平行に合わせることができ、便利である。
【００３５】
また、方眼罫１５には、右から左に向かって０から１８の数値が１cm毎に記載された逆読み数値部１６が設けられており、数値部１２と使い分けることで、左右どちらからでも長さを測りやすいものとなっている。右から測るための数値は、左利きの人にとっても使いやすい。
【００３６】
また、図１では１８cm定規のみを示したが、１５cm定規、３０cm定規、あるいは他の長さの定規とすることも可能であり、いずれの長さでも、１８cm定規と同様に、第１の目盛り部１１を裏面の滑り止め部材によってブロック状に着色すると共に、数値部１２、第２の目盛り部１３及び縦読み数値部１４の裏面にも滑り止め部材を設けることで、握力の弱い子どもでも定規が滑らず、更に第１の目盛りを一定間隔で着色して見やすくして、使い勝手を向上させることができるものである。
尚、直定規の長さは任意に選択可能であり、幅や厚さは、長さに応じて強度やしなやかさを保つよう適宜設定可能である。
【００３７】
[本三角定規：図２，図３]
次に、本三角定規について図２，図３を用いて説明する。図２は、本三角定規（１）の平面図であり、図３は、本三角定規（２）の平面図である。三角定規は通常、直角二等辺三角形のもの（本三角定規（１））と、３つの角が３０度、６０度、９０度の直角三角形のもの（本三角定規（２））が２枚１組となっている。
【００３８】
［本三角定規（１）：図２］
本三角定規（１）２は、図２に示すように、外形の斜辺が約１５cm、他の２辺が約１１cmの直角二等辺三角形の形状であり、第１の目盛り部２１と、数値部２２と、第２の目盛り部２３ａ，２３ｂと、逆読み数値部２５と、方眼罫２６と、滑り止め領域２７とを備えている。
【００３９】
第１の目盛り部２１は、直角二等辺三角形の斜辺上に設けられており、上述した本直定規１と同様に、着色部２１ａと非着色部２１ｂとが交互に配置されたブロック状の目盛りとなっている。
着色部２１ａの裏面には滑り止め部材が設けられている。
また、第１の目盛り部２１にも、１cm毎、５cm毎、１０cm毎に矢印目盛りが付されている。
【００４０】
数値部２２は、斜辺に平行に形成された帯状の領域であり、第１の目盛り部２１に対応して１cm毎に１から１３までの数値が記載されている。本直定規１と同様に、０，５，１０の数値は大きく記載されている。
数値部２２の裏面には、全体に亘って、直角二等辺三角形の斜辺以外の２辺を接続するように、帯状に滑り止め部材が設けられている。
【００４１】
また、数値部２２に平行に、逆読み数値部２５が設けられている。逆読み数値部２５は、第１の目盛り部２１を用いて、右側から長さを図る際に便利なものである。左利きの人にとっても使いやすいものとなっている。
【００４２】
第２の目盛り部２３ａ，２３ｂは、直角を挟む２辺上に設けられ、それぞれの辺の向きに合わせて数値が記載されている。これにより、第２の目盛り部２３ａ,２３ｂを用いた場合も長さを読み取りやすくしている。
また、第２の目盛り部２３ａ，２３ｂの裏面にも滑り止め部材が設けられている。
更に、第２の目盛り部２３ａ，２３ｂには１cm毎に矢印目盛りが付されている。
【００４３】
方眼罫２６は、逆読み数値部２５と、第２の目盛り部２３ａ，２３ｂに囲まれた領域全体に設けられており、１cm間隔の実線の方眼と、補助用の点線の方眼とが設けられている。
そして、方眼罫２６の裏面において、第２の目盛り部２３ａ，２３ｂに接する部分を除く三角形の領域に滑り止め部材が設けられ、滑り止め領域２７となっている。
上述したように、滑り止め部材は色付き（例えば青色）透明の部材であるため、紙面に描かれた図形の上に方眼罫２６を重ねて、当該図形に平行や垂直の線分を引く際などの目安として用いることもできるものである。
【００４４】
[本三角定規（２）]
図３に示すように、本三角定規（２）３は、外形の斜辺が約１７cm、長辺が約１５cm、短辺が約９cmで、角度が３０度、６０度、９０度の直角三角形であり、第１の目盛り部３１と、数値部３２と、第２の目盛り部３３ａ，３３ｂと、逆読み数値部３５と、方眼罫３６と、滑り止め領域３７とを備えている。
【００４５】
本三角定規（２）３では、第２の目盛り部３３ａは直角を挟む長辺に設けられ、第２の目盛り部３３ｂは直角を挟む短辺に設けられている。
図２に示した本三角定規（１）２と外形は異なるものの、同様の配置及び構成となっているので、説明は省略する。
例えば、数値部３２は、本三角定規（１）２と同様に、０，５，１０の数値は大きく記載されており、矢印目盛りも本三角定規（１）２と同様に第１の目盛り部３１及び第２の目盛り部３３ａ，３３ｂに付されている。
【００４６】
このように、本三角定規（１）２及び本三角定規（２）３では、直角三角形の斜辺上の第１の目盛り部２１（３１）の裏面に一定間隔で断続的に滑り止め部材が設けられ、ブロック状の目盛りとすると共に、斜辺に沿って形成された太い帯状の数値部２２（３２）の裏面と、斜辺以外の２辺上に形成された第２の目盛り部２３ａ，２３ｂ（３３ａ，３３ｂ）の裏面全体に滑り止め部材が設けられ、更に三角定規の中央付近に大きな滑り止め領域２７（３７）が設けられたものである。
【００４７】
これにより、第１の目盛り部２１（３１）の目盛りを読みやすくすると共に、押さえる力が多少弱くても、寸法を測ったり線を引いたりする際に定規が滑ってずれてしまうのを防ぐことができるものである。
特に、２枚の三角定規を用いて平行線や垂直線を描画する際には、所望の位置で三角定規を固定でき、便利なものである。
更に、第２の目盛り部２３ａ，２３ｂ（３３ａ，３３ｂ）は、直角の頂点を０としているので、高さ深さを測るのはもちろん、２枚の三角定規を合わせて平行線や垂直線を引く際に長さを測りやすく、便利である。
【００４８】
また、本三角定規のサイズは任意に設定可能であり、例えば、図２，３に示した本三角定規（１），本三角定規（２）の組より小さいサイズの三角定規としてもよい。
例えば、直角二等辺三角形として斜辺が約１２cmのものと、３０度、６０度、９０度の直角三角形として斜辺が約１４cmのものを組み合わせてもよい。
【００４９】
他のサイズの三角定規でも、本三角定規（１）、本三角定規（２）と同様に、器具裏面の複数個所にバランスよく滑り止め部材を配置して、第１の目盛り部２１（３1）をブロック状とすることにより、強い力で全面に亘って押さえなくても滑りにくく、目盛りが見やすく、使い勝手を向上させることができるものである。
【００５０】
[本分度器：図４]
次に、本分度器について図４を用いて説明する。図４は、本分度器の平面図である。
図４に示すように、本分度器４は、外形が、半径約６cmの半円形状であり、第１の目盛り部４１と、数値部４２と、第２の目盛り部４３と、逆読み数値部４４と、第３の目盛り部４５と、基線４６と、中心４７とを備えている。
【００５１】
そして、半円の弦が本分度器４の基線４６であり、基線４６の中心が本分度器４の中心４７となっている。
つまり、基線４６と器具の端辺とが一致しており、基線４６の下側に余分な領域がない。これにより、基線４６に合わせるべきところを器具の端辺に合わせてしまう誤りを防ぐことができるものである。
【００５２】
第１の目盛り部４１は、本分度器４の半円形の弧上に設けられており、１０度幅の着色部４１ａと非着色部４１ｂが交互に配置されて、ブロック状の目盛りとなっている。ブロック状の目盛りとすることで、目盛りを見やすくするものである。
そして、着色部４１ａの裏面には滑り止め部材が設けられている。
第１の目盛り部４１には、１０度毎、３０度毎に矢印目盛りが付されている。
【００５３】
数値部４２は、第１の目盛り部４１の内側（中心４７寄り）に帯状に形成され、左端から右端に向かって０〜１８０の数値が１０刻みで記載されている。基線４６に直交する９０度を示す９０の数値は大きく記載されている。
数値部４２の裏面にも、滑り止め部材が設けられている。
【００５４】
第２の目盛り部４３は、数値部４２よりも内側に形成された帯状の目盛り部であり、目盛りに対応して、左端から右端に向かって１８０〜３６０の数値が１０刻みで記載されている。
第２の目盛り部４３により、本分度器４を２枚合わせることで、円の角度（全円の中心角）が３６０度であることを理解しやすくなる。
第２の目盛り部４３の裏面にも、滑り止め部材が設けられている。
【００５５】
つまり、本分度器４では、滑り止め部材が、第２の目盛り部４３と数値部４２に二重の円弧状に配置され、更に最も外側の第１の目盛り部４１でも断続的に配置されることにより、どこを押さえても効果的に滑りを止めることができ、角度を測定する際に分度器がずれてしまうのを確実に防ぐことができるものである。
このように、複数個所に帯状に滑り止め部材を設けて滑り止めの効果を向上させても、滑り止め部材は色付き透明の材料で形成されているので、紙面上の図形が見にくくなることはない。
【００５６】
更に、本分度器４では、数値部４２と第２の目盛り部４３との間に、逆読み数値部４４が設けられており、右から左に向かって０〜１８０の数値が１０刻みで記載されている。
これにより、右からも角度を容易に読み取れるものである。
【００５７】
また、より小さい図形についても角度を測定できるように、本分度器４では、第２の目盛り部４３の内側に第３の目盛り部４５が設けられている。
第３の目盛り部４５には、基線４６に対して垂直な線（９０度の線）４７から左右に向かって０〜９０の数値が１０刻みで記載されている。
【００５８】
尚、ここでは、第２の目盛り部４３に付された数値を、１８０〜３６０の数値としたが、逆読み数値部４４のように、０〜１８０の数値を数値部４２とは逆向きに付したものとしてもよい。
【００５９】
また、本分度器のサイズは任意に設定可能であり、例えば、図４よりも小さい半径４．５cmの半円形状としてもよい。
他のサイズであっても、上述した本分度器４と同様の特徴を備えることにより、滑りにくく、目盛りが見やすく、使い勝手を向上させることができるものである。
【００６０】
［実施の形態の効果］
本製図器具によれば、器具の外周に設けられた第１の目盛り部と、第１の目盛り部に沿って形成され、第１の目盛り部に対応する数値が付された帯状の数値部と、数値部に対して第１の目盛り部とは反対側に設けられた第２の目盛り部とを備え、数値部と、第２の目盛り部の裏面に滑り止め部材が形成されると共に、第１の目盛り部の裏面に一定間隔で滑り止め部材が形成されて着色されているものであり、製図器具の裏面において、端部を含む複数個所に滑り止め部材をバランスよく配置したことにより、握力の弱い子どもが押さえても、また、器具の一部のみを押さえても、いずれかの箇所に設けられた滑り止めに力が加わって摩擦が生じることで器具が滑りにくく、また、第１の目盛り部をブロック状に色分けして、色のコントラストで目盛りを見やすくすることができる効果がある。
【００６１】
また、本製図器具は、滑り止め部材を色付き透明の材料で形成しているので、第１の目盛り部のコントラストを向上させ、滑り止め効果を得ることに加えて、本製図器具裏面の広範囲にわたって滑り止め部材を設けても、紙面に描かれた図形を本製図器具の表側から十分視認でき、測定や描画の妨げにならず、一層使い勝手を向上させることができる効果がある。
【産業上の利用可能性】
【００６２】
本考案は、器具全体を十分に押さえられなくても確実に滑りを防ぐと共に、目盛りを見やすくして、使い勝手を向上させることができる製図器具に適している。
【符号の説明】
【００６３】
１…本直定規、  ２…本三角定規（１）、  ３…本三角定規（２）、  ４…本分度器、  １１，２１，３１，４１…第１の目盛り部、  １１ａ，２１ａ，３１ａ，４１ａ…着色部、  １１ｂ，２１ｂ，３１ｂ，４１ｂ…非着色部、  １２，２２，３２，４２…数値部、  １３，２３ａ，２３ｂ，３３ａ，３３ｂ，４３…第２の目盛り部、  １４…縦読み数値部、  １５，２６，３６…方眼罫、  １６，２５，３５，４４…逆読み数値部、  １７，４６…基線、  ２７，３７…滑り止め領域、  ４５…第３の目盛り部、  ４７…中心
【図１】
0003228028.tif 000003
【図２】
0003228028.tif 000004
【図３】
0003228028.tif 000005
【図４】
0003228028.tif 000006